(57)【要約】【課題】個人情報である口座番号を支払人に知られずに、安全に支払人からの支払いを可能にする電子商取引システム、電子商取引方法、サーバ、およびそれらのプログラムを提供すること。【解決手段】振込を受ける受取人に関連付けられたワンタイム口座を開設するワンタイム口座開設部６と、前記ワンタイム口座に振込処理をし、該振込処理がされた金額を本口座に振替処理または振込処理をする取引管理部４と、を備え、前記本口座への振替処理または振込処理に応じて、前記ワンタイム口座開設部６はさらに前記ワンタイム口座を閉鎖させる電子商取引システム。【選択図】図１
2007042080.tif 000002
【特許請求の範囲】
【請求項１】
振込を受ける受取人に関連付けられたワンタイム口座を開設するワンタイム口座開設部と、
前記ワンタイム口座に振込処理をし、該振込処理がされた金額を本口座に振替処理または振込処理をする取引管理部と、
を備え、
前記本口座への振替処理または振込処理に応じて、前記ワンタイム口座開設部はさらに前記ワンタイム口座を閉鎖させる電子商取引システム。
【請求項２】
前記ワンタイム口座開設部は、商取引毎に開設することを特徴とする請求項１に記載の電子商取引システム。
【請求項３】
前記ワンタイム口座開設部は、振込人毎に開設することを特徴とする請求項１に記載の電子商取引システム。
【請求項４】
振込を受ける受取人に関連付けられたワンタイム口座を開設するステップと、
前記ワンタイム口座に振込処理をし、該振込処理がされた金額を本口座に振替処理または振込処理をするステップと、
前記本口座への振替処理または振込処理に応じて前記ワンタイム口座を閉鎖させるステップと、
をコンピュータにて実行する商取引方法。
【請求項５】
コンピュータに、
振込を受ける受取人に関連付けられたワンタイム口座を開設するステップと、
前記ワンタイム口座に振込処理をし、該振込処理がされた金額を本口座に振替処理または振込処理をするステップと、
前記本口座への振替処理または振込処理に応じて前記ワンタイム口座を閉鎖させるステップと、
を実行させるコンピュータ・プログラム。
【請求項６】
振込依頼人しか知りえない秘密情報を受取人側金融サーバにて記憶する登録情報記憶部と、
振込を受ける受取人に関連付けられたワンタイム口座を前記受取人側金融サーバにて開設するワンタイム口座開設部と、
前記受取人から前記ワンタイム口座の情報を前記振込依頼人に通知する通信部と、
前記振込依頼人が通知された前記ワンタイム口座の情報と前記秘密情報とを前記受取人側金融サーバにさらに通知する通信部と、
前記受取人側金融サーバが通知された秘密情報を前記登録情報記憶部に記憶されている秘密情報と照合して判定する判定部と、
前記通信部はさらに、ワンタイム口座の情報と判定結果とを前記振込依頼人に通知し、前記振込依頼人が前記ワンタイム口座に振込処理をし、該振込処理がされた金額を前記受取人の本口座に振替処理または振込処理をする取引管理部と、
を備え、
前記受取人の本口座への振替処理または振込処理に応じて、前記ワンタイム口座開設部はさらに前記ワンタイム口座を閉鎖させる電子商取引システム。
【請求項７】
振込を受ける受取人に関連付けられたワンタイム口座を受取人側金融サーバにて開設するステップと、
前記受取人から前記ワンタイム口座の情報を振込依頼人に通知するステップと、
前記振込依頼人が通知されたワンタイム口座の情報とあらかじめ受取人側金融サーバにて記憶されている振込依頼人しか知りえない秘密情報とを前記受取人側金融サーバにさらに通知するステップと、
前記受取人側金融サーバが通知された秘密情報を登録情報記憶部に記憶されている秘密情報と照合して判定するステップと、
ワンタイム口座の情報と判定結果とを前記振込依頼人に通知し、前記振込依頼人が前記ワンタイム口座に振込処理をするステップと、
該振込処理がされた金額を前記受取人の本口座に振替処理または振込処理をするステップと、
前記受取人の本口座への振替処理または振込処理に応じて前記ワンタイム口座を閉鎖させるステップと、
をコンピュータにて実行する商取引方法。
【請求項８】
コンピュータに、
振込を受ける受取人に関連付けられたワンタイム口座を受取人側金融サーバにて開設するステップと、
前記受取人から前記ワンタイム口座の情報を振込依頼人に通知するステップと、
前記振込依頼人が通知された前記ワンタイム口座の情報とあらかじめ受取人側金融サーバの登録情報記憶部に記憶されている振込依頼人しか知りえない秘密情報とを前記受取人側金融サーバにさらに通知するステップと、
前記受取人側金融サーバが通知された秘密情報を前記登録情報記憶部に記憶されている秘密情報と照合して判定するステップと、
ワンタイム口座の情報と判定結果を前記振込依頼人に通知し、前記振込依頼人が前記ワンタイム口座に振込処理をするステップと、
該振込処理がされた金額を前記受取人の本口座に振替処理または振込処理をするステップと、
前記受取人の本口座への振替処理または振込処理に応じて、前記ワンタイム口座を閉鎖させるステップと、
を実行させるコンピュータ・プログラム。
【請求項９】
振込依頼人と振込を受ける受取人の端末と受取人側金融サーバとを通信回線で結合された電子商取引システムに用いられる受取人側金融サーバであって、
振込依頼人しか知りえない秘密情報を前記受取人側金融サーバにて記憶する登録情報記憶部と、
振込を受ける受取人に関連付けられたワンタイム口座を前記受取人側金融サーバにて開設するワンタイム口座開設部と、
前記受取人から前記ワンタイム口座の情報を前記振込依頼人に通知する通信部と、
前記振込依頼人が通知されたワンタイム口座の情報と前記秘密情報とを前記受取人側金融サーバにさらに通知する通信部と、
前記受取人側金融サーバが通知された秘密情報を前記登録情報記憶部に記憶されている秘密情報と照合して判定する判定部と、
前記通信部はさらに、ワンタイム口座の情報と判定結果とを前記振込依頼人に通知し、前記振込依頼人が前記ワンタイム口座に振込処理をし、該振込処理がされた金額を前記受取人の本口座に振替処理または振込処理をする取引管理部と、
を備え、
前記受取人の本口座への振替処理または振込処理に応じて、前記ワンタイム口座開設部はさらに前記ワンタイム口座を閉鎖させる受取人側金融サーバ。
【発明の詳細な説明】
【技術分野】
【０００１】
本発明は、電子商取引システム、電子商取引方法、サーバ、およびそれらのプログラムに関する。
【背景技術】
【０００２】
インターネットの普及により、電子商取引も増加してきているが、その普及にともない、様々な不正利用やトラブルなどの問題も増えてきている。これらの問題に対処するために、特許文献１に記載のシステムのように、商品取引完了までに有効なワンタイムのパスワードまたはＩＤを生成し、商品購入者の処理装置に入力された商品の受取り信号およびパスワードまたはＩＤと一致することを条件に商品購入者の口座から商品販売者の口座に商品の代金の振り込みを行う方法などが提案されている。
【特許文献１】特開２００２−２７９３２３号公報
【発明の開示】
【発明が解決しようとする課題】
【０００３】
しかしながら、特許文献１に記載のシステムでは、仲介者のシステムが取引者の間に入る必要があり、その取引手段も仲介者のシステムの手順に従わねばならず、すべての商取引に利用できないという問題がある。近年、支払人が過去に使用した口座に勝手にお金を振り込むことで、利子を含めて返還するように振込を受ける受取人が脅される危険性が指摘されている。すなわち、過去の取引で使用した口座に、支払人が勝手にお金を振り込み、このお金に対して利子をつけて請求するといったケースである。したがって、振込まれる口座（本口座）として現実に存在する口座の口座番号を支払人に知られることなく、支払人から支払いを受ける仕組みを構築することが必要となる。
【０００４】
本発明の目的は、個人情報である口座番号を支払人に知られずに、安全に支払人からの支払いを可能にする電子商取引システム、電子商取引方法、サーバ、およびそれらのプログラムを提供することである。
【課題を解決するための手段】
【０００５】
以上のような目的を達成するために、本発明は、以下のようなものを提供する。
【０００６】
（１）  振込を受ける受取人に関連付けられたワンタイム口座を開設するワンタイム口座開設部と、前記ワンタイム口座に振込処理をし、該振込処理がされた金額を本口座に振替処理または振込処理をする取引管理部と、を備え、前記本口座への振替処理または振込処理に応じて、前記ワンタイム口座開設部はさらに前記ワンタイム口座を閉鎖させる電子商取引システム。
【０００７】
（２）  前記ワンタイム口座開設部は、商取引毎に開設することを特徴とする（１）に記載の電子商取引システム。
【０００８】
（３）  前記ワンタイム口座開設部は、振込人毎に開設することを特徴とする（１）に記載の電子商取引システム。
【０００９】
（４）  振込を受ける受取人に関連付けられたワンタイム口座を開設するステップと、前記ワンタイム口座に振込処理をし、該振込処理がされた金額を本口座に振替処理または振込処理をするステップと、前記本口座への振替処理または振込処理に応じて前記ワンタイム口座を閉鎖させるステップと、をコンピュータにて実行する商取引方法。
【００１０】
（５）  コンピュータに、振込を受ける受取人に関連付けられたワンタイム口座を開設するステップと、前記ワンタイム口座に振込処理をし、該振込処理がされた金額を本口座に振替処理または振込処理をするステップと、前記本口座への振替処理または振込処理に応じて前記ワンタイム口座を閉鎖させるステップと、を実行させるコンピュータ・プログラム。
【００１１】
（１）から（５）に記載の発明は、振込を受ける受取人に関連付けられたワンタイム口座を開設し、開設したワンタイム口座に振込を受け、振込まれた資金を本口座に振替処理または振込処理をする。そして、本口座への振替処理または振込処理に応じて、ワンタイム口座を閉鎖する。
【００１２】
したがって、一時的に振込を受ける口座であるワンタイム口座を開設して、これに振込を受け、この振込まれたお金を本口座に振替処理または振込処理をした後に、使用したワンタイム口座を閉鎖する。これにより、支払人から支払いを受ける口座を、取引毎の一時的な口座として扱うことが可能であり、支払人から一度、支払いを受けた後には同じ口座を使用する必要がない。すなわち、上述のように、支払人が過去に使用した口座に勝手にお金を振り込むことで、利子を含めて返還するように受取人が脅されるような危険性を回避することが可能である。結果として、従来よりも、支払人からの支払いを安全に行うことを可能にする、電子商取引システム、電子商取引方法を提供することが可能である。
【００１３】
ここで、支払人から支払いを受ける口座が、取引毎の一時的な口座でなくて、（３）の発明のように振込人毎の一時的な口座とすることもできる。振込人毎とすることにより、振込処理の事務手数を減らすことができる。
【００１４】
（６）  振込依頼人しか知りえない秘密情報を受取人側金融サーバにて記憶する登録情報記憶部と、振込を受ける受取人に関連付けられたワンタイム口座を前記受取人側金融サーバにて開設するワンタイム口座開設部と、前記受取人から前記ワンタイム口座の情報を前記振込依頼人に通知する通信部と、前記振込依頼人が通知された前記ワンタイム口座の情報と前記秘密情報とを前記受取人側金融サーバにさらに通知する通信部と、前記受取人側金融サーバが通知された秘密情報を前記登録情報記憶部に記憶されている秘密情報と照合して判定する判定部と、前記通信部はさらに、ワンタイム口座の情報と判定結果とを前記振込依頼人に通知し、前記振込依頼人が前記ワンタイム口座に振込処理をし、該振込処理がされた金額を前記受取人の本口座に振替処理または振込処理をする取引管理部と、を備え、前記受取人の本口座への振替処理または振込処理に応じて、前記ワンタイム口座開設部はさらに前記ワンタイム口座を閉鎖させる電子商取引システム。
【００１５】
（７）  振込を受ける受取人に関連付けられたワンタイム口座を受取人側金融サーバにて開設するステップと、前記受取人から前記ワンタイム口座の情報を振込依頼人に通知するステップと、前記振込依頼人が通知されたワンタイム口座の情報とあらかじめ受取人側金融サーバにて記憶されている振込依頼人しか知りえない秘密情報とを前記受取人側金融サーバにさらに通知するステップと、前記受取人側金融サーバが通知された秘密情報を登録情報記憶部に記憶されている秘密情報と照合して判定するステップと、ワンタイム口座の情報と判定結果を前記振込依頼人に通知し、前記振込依頼人が前記ワンタイム口座に振込処理をするステップと、該振込処理がされた金額を前記受取人の本口座に振替処理または振込処理をするステップと、前記受取人の本口座への振替処理または振込処理に応じて前記ワンタイム口座を閉鎖させるステップと、をコンピュータにて実行する商取引方法。
【００１６】
（８）  コンピュータに、振込を受ける受取人に関連付けられたワンタイム口座を受取人側金融サーバにて開設するステップと、前記受取人から前記ワンタイム口座の情報を振込依頼人に通知するステップと、前記振込依頼人が通知された前記ワンタイム口座の情報とあらかじめ受取人側金融サーバの登録情報記憶部に記憶されている振込依頼人しか知りえない秘密情報とを前記受取人側金融サーバにさらに通知するステップと、前記受取人側金融サーバが通知された秘密情報を前記登録情報記憶部に記憶されている秘密情報と照合して判定するステップと、ワンタイム口座の情報と判定結果を前記振込依頼人に通知し、前記振込依頼人が前記ワンタイム口座に振込処理をするステップと、該振込処理がされた金額を前記受取人の本口座に振替処理または振込処理をするステップと、前記受取人の本口座への振替処理または振込処理に応じて前記ワンタイム口座を閉鎖させるステップと、を実行させるコンピュータ・プログラム。
【００１７】
（６）から（８）に記載の発明は、振込依頼人はいきなりワンタイム口座に振込を依頼されても、果たして振込んでよい口座か否か不安に感じる。この不安を解消し、かつ振込まれる側の本口座を知られることなく電子商取引を行うこと目的である。
【００１８】
つまり、振込依頼人しか知りえない秘密情報を受取人側金融サーバの登録情報記憶部にて記憶し、振込を受ける受取人に関連付けられたワンタイム口座を受取人側金融サーバにて開設する。受取人からワンタイム口座の情報を振込依頼人に通知する。振込依頼人が通知されたワンタイム口座の情報と秘密情報とを受取人側金融サーバにさらに通知する。受取人側金融サーバが通知された秘密情報を登録情報記憶部に記憶されている秘密情報と照合して判定する。さらに、ワンタイム口座の情報と判定結果を振込依頼人に通知し、振込依頼人がワンタイム口座に振込処理をする。前記受取人の本口座への振替処理または振込処理に応じて、ワンタイム口座開設部はさらにワンタイム口座を閉鎖させる。
【００１９】
したがって、振込依頼人は依頼されたワンタイム口座に振込依頼人しか知りえない秘密情報を添付して受取人側金融サーバに送信し、その判定結果を受取人側金融サーバから受け取ることにより振込んでも安全なワンタイム口座であることが判る。一方、ワンタイム口座からは商品等が納入された通知を受けてから、振込まれた金額をワンタイム口座から本口座に振替または振込がされる。その結果振込を受ける側の本口座を知られることなく商取引を行うことができる。
【００２０】
（９）  振込依頼人と振込を受ける受取人の端末と受取人側金融サーバとを通信回線で結合された電子商取引システムに用いられる受取人側金融サーバであって、振込依頼人しか知りえない秘密情報を前記受取人側金融サーバにて記憶する登録情報記憶部と、振込を受ける受取人に関連付けられたワンタイム口座を前記受取人側金融サーバにて開設するワンタイム口座開設部と、前記受取人から前記ワンタイム口座の情報を前記振込依頼人に通知する通信部と、前記振込依頼人が通知されたワンタイム口座の情報と前記秘密情報とを前記受取人側金融サーバにさらに通知する通信部と、前記受取人側金融サーバが通知された秘密情報を前記登録情報記憶部に記憶されている秘密情報と照合して判定する判定部と、前記通信部はさらに、ワンタイム口座の情報と判定結果とを前記振込依頼人に通知し、前記振込依頼人が前記ワンタイム口座に振込処理をし、該振込処理がされた金額を前記受取人の本口座に振替処理または振込処理をする取引管理部と、を備え、前記受取人の本口座への振替処理または振込処理に応じて、前記ワンタイム口座開設部はさらに前記ワンタイム口座を閉鎖させる受取人側金融サーバ。
【００２１】
（９）に記載の発明は（６）の電子商取引システムに使用される受取人側金融サーバに関するものであり、当該受取人側金融サーバを（６）のシステムに使用することにより同様の作用効果を奏する。
【発明の効果】
【００２２】
この発明によれば、個人情報である口座番号を支払人に知られずに、安全に支払人からの支払いを可能にする電子商取引システム、電子商取引方法、サーバ、およびそれらのプログラムを提供することができる。
【発明を実施するための最良の形態】
【００２３】
以下、発明の実施例を通じて本発明を説明するが、以下の実施例は特許請求の範囲にかかる発明を限定するものではなく、また実施例の中で説明されている特徴の組み合わせの全てが発明の解決手段に必須であるとは限らない。
【００２４】
［第１の実施例］
図１は、本発明の一実施例である電子商取引システム構成の概略を示した図である。図２は、ワンタイム口座番号管理データベースを示した図である。図３は、ワンタイム口座ログのデータベースを示した図である。
【００２５】
図１に示す電子商取引システムは、ワンタイム口座開設・管理装置１と金融関係の処理ができる金融サーバ２と本口座記憶部２ａと取引処理装置３を備える。ワンタイム口座開設・管理装置１には、ワンタイム口座に振込処理をし、該振込処理された金額を本口座に振替処理をする取引管理部４と、ワンタイム口座管理部５と、振込を受ける受取人に関連付けられたワンタイム口座を開設し、閉鎖するワンタイム口座開設部６とを備える。
【００２６】
ワンタイム口座開設・管理装置１と金融サーバ２は後で述べるサーバ１０００のハードウェアに必要なソフトウエアをインストールすることにより実現することができる。また、取引処理装置３は、通信回線に接続することができるパーソナルコンピュータまたは携帯電話機に対応するソフトウエアをインストールして実現することができる。
【００２７】
このような構成において、図１のように電子商取引システムの商取引の代金の支払いを受ける受取人がワンタイム口座開設要求を取引処理装置３にインプットする。この要求が取引処理装置３からワンタイム口座開設・管理装置１の取引管理部４に伝えられる。要求を受け付けた取引管理部４は、既に本口座記憶部２ａにて記憶され、使用されている本口座などを考慮して取引の開始をワンタイム口座管理部５に指示する。
【００２８】
取引の開始の指示を受けたワンタイム口座管理部５は、ワンタイム口座開設部６にワンタイム口座の開設を指示する。ワンタイム口座の開設の指示を受けたワンタイム口座開設部６は商取引と受取人の記憶されている本口座に関連付けられたワンタイム口座を開設する。開設されたワンタイム口座は、図２に示すようなワンタイム口座番号管理データベース上でワンタイム口座番号として管理される。ワンタイム口座番号管理データベースにはワンタイム口座の状態もステータス情報としてワンタイム口座番号毎に管理される。
【００２９】
また、開設されたワンタイム口座は、図３に示すようなワンタイム口座ログデータベースがワンタイム口座管理部により管理される。図３の例では、ワンタイム口座番号「１１１１１１１」は２００６年５月８日の１２時３０分に開設されたことが記憶される。
【００３０】
開設されたワンタイム口座番号は取引処理装置３に通知され、取引処理装置３の表示画面に表示されることにより受取人に伝えられる。ワンタイム口座番号を通知された受取人は商取引の支払人に代金等をそのワンタイム口座に支払うよう依頼する（図示省略）。依頼を受けた支払人が代金等をそのワンタイム口座に振込む。振込まれた金額を受取人が確認後関連する本口座に振替または振込が行われる。この処理が行われるとワンタイム口座ログデータベースに図３に示すようにこの処理内容が記憶され、その後ワンタイム口座は閉鎖される。
【００３１】
なお、上記システムが全国銀行データ通信システムで運用される場合は、上記の７桁のワンタイム口座番号の前に４桁の銀行コードと４桁の支店コードとを付して通知ならびに振込処理がなされる。
【００３２】
以上のようにして、支払人から支払いを受ける口座が、取引毎の一時的な口座として扱うことが可能であり、支払人から一度、支払いを受けた後には同じ口座を使用する必要がない。すなわち、上述のように、支払人が過去に使用した口座に勝手にお金を振り込むことで、利子を含めて返還するように受取人が脅されるような危険性を回避することが可能である。結果として、従来よりも、支払人からの支払いを安全に行うことを可能にする、電子商取引システムを提供することが可能である。
また、本発明では振込を受ける人の口座であり、通常の振込依頼と同様な処理手順で利用することができる。
【００３３】
ワンタイム口座は商取引の単位毎に開設してもよいし、または、支払人毎に開設してもよい。多くの取引が行われるインターネット取引では、支払人毎にワンタイム口座を開設することにより事務工数を低減できるからである。
【００３４】
［第２の実施例］
第２の実施例は、振込依頼人はいきなりワンタイム口座に振込を依頼されても、果たして振込んでよい口座か否か不安に感じる。この不安を解消し、かつ振込まれる側の口座を受取人が支払人に知られることなく電子商取引を行うことができることを特徴とする。図４は、本発明の別の実施例である電子商取引システム構成の概略を示した図である。図５は、図４の電子商取引システムの動作を示す図である。以下図４と図５を参照して説明をする。
【００３５】
図４に示すように、本発明の電子商取引システムは、振込依頼人端末１０と受取人端末２０と受取人側金融サーバ１００とを備え、これらが通信回線４０で相互に接続されている。さらに、受取人側金融サーバ１００には振込依頼人しか知りえない秘密情報を受取人側金融サーバ１００にて記憶する登録情報記憶部１００ａが接続されている。
【００３６】
受取人側金融サーバ１００には、振込を受ける受取人に関連付けられたワンタイム口座を受取人側金融サーバ１００にて開設し閉鎖するワンタイム口座開設部１２０と、受取人からワンタイム口座の情報を振込依頼人に通知し、振込依頼人が通知されたワンタイム口座の情報と秘密情報とを判定部１６０にさらに通知する通信部１４０と、通知された秘密情報を登録情報記憶部１００ａに記憶されている秘密情報と照合して判定する判定部１６０と、振込依頼人がワンタイム口座に振込処理をする取引管理部１８０とを備える。
【００３７】
振込依頼人端末１０と受取人端末２０は、図４に示すように通信回線４０に接続してデータの受信・送信が出来るパソコンであってもよいし、同様な機能を有する携帯電話機等であってもよい。受取人側金融サーバ１００のハードウェアの具体例については図６で詳細に後述する。
【００３８】
本発明の電子商取引システムの動作について、図５を参照して説明をする。振込依頼人は振込依頼人端末１０より秘密情報を受取人側金融サーバ１００に通信回線４０を介して送信する。秘密情報はパスワードであってもよいし、合言葉であってもよい。また、暗号表に基づいて日付毎に変わるものでもよい。受取人側金融サーバ１００は、送信された秘密情報を受信して登録情報記憶部１００ａに記憶する（Ｓ１１０）。
【００３９】
秘密情報が事前に記憶された状態で、ある商取引が成立すると、商取引の代金等の受取人は受取人端末２０から、ワンタイム口座開設依頼を受取人側金融サーバに送信する。受取人側金融サーバ１００では、通信部１４０によりワンタイム口座開設依頼を受信して、ワンタイム口座開設部１２０によりワンタイム口座を開設する（Ｓ１２０）。受取人側金融サーバ１００は開設されたワンタイム口座番号を受取人端末２０に通知する。
【００４０】
通知を受けた受取人は、受取人端末２０から振込依頼人端末１０に通信回線４０を介して開設されたワンタイム口座番号に振込依頼をする。振込依頼を受けた依頼人はワンタイム口座が信用できる口座か不安の場合は、先に登録情報記憶部１００ａに登録した秘密情報と通知を受けたワンタイム口座とを振込依頼人端末１０から受取人側金融サーバ１００に照会する。照会を受けた受取人側金融サーバ１００は判定部１６０にて振込依頼人端末１０から新たに送信されてきた秘密情報を登録情報記憶部１００ａに登録されている情報と対比して判定する。さらに、判定部１６０は送信されてきたワンタイム口座番号がワンタイム口座開設部で開設した口座であるか否を判定する（Ｓ１３０）。
【００４１】
判定した結果が受取人側金融サーバ１００から振込依頼人端末１０へ判定データを送信して通知する。判定通知は例えば、図５に示すように、ワンタイム口座Ｎｏ．Ｘ、ＯＫ、ワンタイム口座Ｎｏ．Ｙ、ＮＧのように通知する。
【００４２】
判定通知を受けて問題ないことが判定されたワンタイム口座であれば、振込依頼人も安心して振込をすることができる。振込依頼人が振込をすると受取人側金融サーバ１００の取引管理部１８０はワンタイム口座に入金する（Ｓ１４０）。入金すると受取人側金融サーバ１００より受取人端末２０に入金通知がされる。入金通知を受けた受取人は振込依頼人に対象商品を納入する。
【００４３】
対象商品を受け取った振込依頼人は商品受取通知を振込依頼人端末１０から受取人側金融サーバ１００に送信する。商品受取通知を受信した受取人側金融サーバ１００の取引管理部１８０はワンタイム口座に入金した金額を本口座に振替をする（Ｓ１５０）。振替完了通知を受取人側金融サーバ１００から受取人端末２０に送信する。振替完了後、ワンタイム口座開設部１２０により当該ワンタイム口座を閉鎖する（Ｓ１６０）。
【００４４】
また、第２の実施例の電子商取引システムが全国銀行データ通信システムで運用される場合は、上記の７桁のワンタイム口座番号の前に受取人側金融サーバが所属する４桁の銀行コードと４桁の支店コードとを付して通知ならびに振込処理がなされる。
【００４５】
以上のようにして、振込依頼人は依頼されたワンタイム口座に振込依頼人しか知りえない秘密情報を添付して受取人側金融サーバに送信し、その判定結果を受取人側金融サーバから受け取ることにより振込んでも安全なワンタイム口座であることが判る。一方、商品等が納入された通知を受けてから、ワンタイム口座から本口座に振替えられる。その結果振込を受ける側の本口座を支払人に知られることなく商取引を行うことができる。また、仲介者を介することなく、秘密情報を事前登録する処理を加えることで、通常の振込依頼と同様な処理手順で利用することができるので、取引者双方にとって便利である。
【００４６】
図６は、図１で説明した本発明の好適な実施例の一例に係るワンタイム口座開設・管理装置１と金融サーバ２、ならびに図４で説明した受取人側金融サーバ１００に適用することが出来るサーバ１０００のハードウェア構成の一例を示す図である。サーバ１０００は、ＣＰＵ（Ｃｅｎｔｒａｌ  Ｐｒｏｃｅｓｓｉｎｇ  Ｕｎｉｔ）１０１０（マルチプロセッサ構成ではＣＰＵ１０１２など複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、ならびにキーボードおよびマウス１１００等の入力手段や表示装置１０２２を備える。
【００４７】
Ｉ／Ｏコントローラ１０７０には、テープドライブ１０７２、ハードディスク１０７４、光ディスクドライブ１０７６、半導体メモリ１０７８、等の記憶手段を接続することができる。
【００４８】
ＢＩＯＳ１０６０は、サーバ１０００の起動時にＣＰＵ１０１０が実行するブートプログラムや、サーバ１０００のハードウェアに依存するプログラム等を格納する。
【００４９】
本口座記憶部２ａまたは登録情報記憶部１００ａを構成するハードディスク１０７４は、サーバ１０００がサーバとして機能するための各種プログラムおよび本発明の機能を実行するプログラムを記憶しており、さらに必要に応じて各種データベースを構成可能である。
【００５０】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラムまたはデータを読み取り、Ｉ／Ｏコントローラ１０７０を介してメインメモリ１０５０またはハードディスク１０７４に提供することもできる。また、同様にテープドライブ１０７２に対応したテープメディア１０７１を主としてバックアップのために使用することもできる。
【００５１】
サーバ１０００に提供されるプログラムは、ハードディスク１０７４、光ディスク１０７７、またはメモリーカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、サーバ１０００にインストールされ実行されてもよい。
【００５２】
前述のプログラムは、内部または外部の記憶媒体に格納されてもよい。ここで、記憶媒体としては、ハードディスク１０７４、光ディスク１０７７、またはメモリーカードの他に、ＭＤ等の光磁気記録媒体、テープメディア１０７１を用いることができる。また、専用通信回線やインターネットに接続されたサーバシステムに設けたハードディスク１０７４または光ディスクライブラリー等の記憶装置を記録媒体として使用し、通信回線を介してプログラムをサーバ１０００に提供してもよい。
【００５３】
ここで、表示装置１０２２は、サーバ管理者等にデータの入力を受け付ける画面を表示したり、サーバ１０００による演算処理結果の画面を表示したりするものであり、ブラウン管表示装置（ＣＲＴ）、液晶表示装置（ＬＣＤ）等のディスプレイ装置を含む。
【００５４】
ここで、入力手段は、サーバ管理者等による入力の受付を行うものであり、キーボードおよびマウス１１００等により構成してよい。
【００５５】
また、通信Ｉ／Ｆ１０４０は、サーバ１０００を専用ネットワークまたは公共ネットワークを介して端末と接続できるようにするためのネットワーク・アダプタである。通信Ｉ／Ｆ１０４０は、モデム、ケーブル・モデムおよびイーサネット（登録商標）・アダプタを含んでよい。
【００５６】
以上の例は、電子商取引システムについて主に説明したが、コンピュータに、プログラムをインストールして、そのコンピュータを受取人側金融サーバとして動作させることにより上記で説明した機能を実現することもできる。したがって、本発明において一実施例として説明した電子商取引システムにより実現される機能は、上述の方法を当該コンピュータにより実行することにより、あるいは、上述のプログラムを当該コンピュータに導入して実行することによっても実現可能である。
【００５７】
以上、本発明を実施形態、および実施例を用いて説明したが、本発明の技術的範囲は上記実施例に記載の範囲に限定されない。上記実施例に、多様な変更または改良を加えることが可能である。また、そのような変更または改良を加えた形態も本発明の技術的範囲に含まれ得ることが、特許請求の範囲の記載から明らかである。例えば、電子商取引システムは全国銀行通信システムを例として説明しているが郵便貯金等の金融機関を前提としても実施することができる。
【図面の簡単な説明】
【００５８】
【図１】本発明の一実施例である電子商取引システム構成の概略を示した図である。
【図２】ワンタイム口座番号管理データベースを示した図である。
【図３】ワンタイム口座ログのデータベースを示した図である。
【図４】本発明の別の実施例である電子商取引システム構成の概略を示した図である。
【図５】図４の電子商取引システムの動作を示す図である。
【図６】サーバのハードウェア構成の一例を示す図である。
【符号の説明】
【００５９】
１  ワンタイム口座開設・管理装置
２  金融サーバ
２ａ  本口座記憶部
３    取引処理装置
４    取引管理部
５    ワンタイム口座管理部
６    ワンタイム口座開設部
１０  振込依頼人端末
２０  受取人端末
４０  通信回線
１００  受取人側金融サーバ
１００ａ  登録情報記憶部
１２０  ワンタイム口座開設部
１４０  通信部
１６０  判定部
１８０  取引管理部
【図１】
2007042080.tif 000003
【図２】
2007042080.tif 000004
【図３】
2007042080.tif 000005
【図４】
2007042080.tif 000006
【図５】
2007042080.tif 000007
【図６】
2007042080.tif 000008